(57)【特許請求の範囲】
【請求項１】
証明カード作成用顔画像撮影システムにおいて、
申請者を撮像する直接撮像部と、
文字及び顔画像を含む顔画像付申請書が投入される申請書投入部と、
申請書投入部に投入された顔画像付申請書を検出する検出センサと、
申請書投入部に投入された顔画像付申請書の顔画像を撮像する申請書撮像部と、
直接撮像部、申請書撮像部および検出センサに接続された入力信号切替部と、
入力信号切替部に接続された画像取込部を含む制御部とを備え、
検出センサからの信号に基づいて入力信号切替部は、顔画像付申請書を検出した場合は申請書撮像部からの情報を画像取込部へ送り、顔画像付申請書を検出しない場合は直接撮像部からの情報を画像取込部へ送ることを特徴とする証明カード作成用顔画像撮影システム。
【請求項２】
証明カード作成用顔画像撮影システムにおいて、
申請者を撮像する直接撮像部と、
文字及び顔画像を含む顔画像付申請書が投入される申請書投入部と、
申請書投入部に投入された顔画像付申請書を検出する検出センサと、
申請書投入部に投入された顔画像付申請書の顔画像を撮像する申請書撮像部と、
直接撮像部に接続された第１画像取込部と、申請書撮像部に接続された第２画像取込部とを含む制御部と、
検出センサに接続された入力信号切替部とを備え、
検出センサからの信号に基づいて入力信号切替部は、顔画像付申請書を検出しない場合は第１画像取込部の画像を用い、画像付申請書を検出した場合は第２画像取込部の画像を用いる信号を制御部に送ることを特徴とする証明カード作成用顔画像撮影システム。
【請求項３】
制御部は入力信号切替部に接続された画像切替部を有し、画像切替部は入力信号切替部からの信号に基づいて、第１画像取込部の画像を用いる場合は第１画像取込部の画像を採用し、第２画像取込部の画像を用いる場合は第２画像取込部の画像を採用することを特徴とする請求項２記載の証明カード作成用顔画像撮影システム。
【請求項４】
申請書投入部に投入された顔画像付申請書の文字を読み取り制御部へ送る文字情報読取部を更に備えたことを特徴とする請求項１乃至３のいずれか記載の証明カード作成用顔画像撮影システム。
【請求項５】
申請書投入部に投入されない顔画像付申請書の文字を読み取り制御部へ送る追加の文字情報読取部を更に備えたことを特徴とする請求項１乃至４のいずれか記載の証明カード作成用顔画像撮影システム。
【請求項６】
顔画像付申請書の全面を読み取り制御部へ送る文字、画像情報読取部を更に備えたことを特徴とする請求項１乃至５のいずれか記載の証明カード作成用顔画像撮影システム。
【発明の詳細な説明】
【技術分野】
【０００１】
本発明は、ＩＣチップを有するＩＣカード等の証明カードを作成するための証明カード作成用顔画像撮影システムに係り、とりわけ、申請者が希望する顔画像を採用することが可能な証明カード作成用顔画像撮影システムに関する。
【背景技術】
【０００２】
身分証明証などの身分確認時に用いられる証明カードとして、電子情報が記録されたＩＣチップを有するＩＣカードが知られている。このようなＩＣカードには、例えば、氏名、住所などの文字、数字等が印字されている。
【０００３】
この場合、ＩＣカードの表面には、氏名、住所などの文字、数字等が印字され、ＩＣカードの裏面には文字、数字等が印字される。
【０００４】
このようなＩＣカードを作成する場合、申請場所において申請者が予め申請者に必要事項を記入しておき、必要に応じて申請者の顔画像をカメラにより撮像する。
【０００５】
この場合、申請者は申請場所においてカメラにより顔画像が撮像されるが、申請者によっては自分が希望する写真画像を入手しておき、この写真画像の採用を希望する場合がある。
【０００６】
現在申請者の顔画像を直接カメラにより撮像するシステムと、申請者が自分の希望する写真画像を採用するシステムの両者の機能を有するシステムの開発が進められているが、未だ実用化されていないのが実情である。
【先行技術文献】
【特許文献】
【０００７】
【特許文献１】特開平７−２７１９５１号公報
【特許文献２】特開平８−９９４８７号公報
【発明の概要】
【発明が解決しようとする課題】
【０００８】
本発明はこのような点を考慮してなされたものであり、申請者の顔画像をカメラにより直接撮像する機能と、申請者が希望する写真画像を採用する機能の両者の機能を備えた簡便な証明カード作成用顔画像撮影システムを提供することを目的とする。
【課題を解決するための手段】
【０００９】
本発明は、証明カード作成用顔画像撮影システムにおいて、申請者を撮像する直接撮像部と、文字及び顔画像を含む顔画像付申請書が投入される申請書投入部と、申請書投入部に投入された顔画像付申請書を検出する検出センサと、申請書投入部に投入された顔画像付申請書の顔画像を撮像する申請書撮像部と、直接撮像部、申請書撮像部および検出センサに接続された入力信号切替部と、入力信号切替部に接続された画像取込部を含む制御部とを備え、検出センサからの信号に基づいて入力信号切替部は、顔画像付申請書を検出した場合は申請書撮像部からの情報を画像取込部へ送り、顔画像付申請書を検出しない場合は直接撮像部からの情報を画像取込部へ送ることを特徴とする証明カード作成用顔画像撮影システムである。
【００１０】
本発明は、証明カード作成用顔画像撮影システムにおいて、申請者を撮像する直接撮像部と、文字及び顔画像を含む顔画像付申請書が投入される申請書投入部と、申請書投入部に投入された顔画像付申請書を検出する検出センサと、申請書投入部に投入された顔画像付申請書の顔画像を撮像する申請書撮像部と、直接撮像部に接続された第１画像取込部と、申請書撮像部に接続された第２画像取込部とを含む制御部と、検出センサに接続された入力信号切替部とを備え、検出センサからの信号に基づいて入力信号切替部は、顔画像付申請書を検出しない場合は第１画像取込部の画像を用い、画像付申請書を検出した場合は第２画像取込部の画像を用いる信号を制御部に送ることを特徴とする証明カード作成用顔画像撮影システムである。
【００１１】
本発明は、制御部は入力信号切替部に接続された画像切替部を有し、画像切替部は入力信号切替部からの信号に基づいて、第１画像取込部の画像を用いる場合は第１画像取込部の画像を採用し、第２画像取込部の画像を用いる場合は第２画像取込部の画像を採用することを特徴とする証明カード作成用顔画像撮影システムである。
【００１２】
本発明は、申請書投入部に投入された顔画像付申請書の文字を読み取り制御部へ送る文字情報読取部を更に備えたことを特徴とする証明カード作成用顔画像撮影システムである。
【００１３】
本発明は、申請書投入部に投入されない顔画像付申請書の文字を読み取り制御部へ送る追加の文字情報読取部を更に備えたことを特徴とする証明カード作成用顔画像撮影システムである。
【００１４】
本発明は、顔画像付申請書の全面を読み取り制御部へ送る文字、画像情報読取部を更に備えたことを特徴とする証明カード作成用顔画像撮影システムである。
【発明の効果】
【００１５】
以上のように本発明によれば、検出センサにより顔画像付申請書の有無を検出することができ、検出センサからの信号により入力信号切換部を作動させる。入力信号切換部からの信号に基づいて制御部は顔画像付申請書を検出した場合は申請書撮像部からの画像を採用し、顔画像付申請書を検出しない場合は直接撮像部からの画像を採用する。このため申請者の顔画像を直接撮像してこれを用いる機能と、申請者が希望する写真画像を用いる機能をもった簡便な構造のシステムを実現することができる。
【図面の簡単な説明】
【００１６】
【図１】図１は、本発明による証明カード作成用顔画像撮影システムを示す概略図。
【図２】図２（ａ）はＩＣカードの表面を示す図であって、図２（ｂ）はＩＣカードの裏面を示す図。
【図３】図３は本発明による証明カード作成用顔画像撮影システムの第１の実施の形態を示すフローチャート。
【図４】図４は顔画像付申請書を示す図。
【図５】図５は本発明による証明カード作成用顔画像撮影システムを示す概略図。
【図６】図６は本発明による証明カード作成用顔画像撮影システムの第２の実施の形態を示すフローチャート。
【発明を実施するための形態】
【００１７】
第１の実施の形態
以下、図１乃至図４を参照して本発明の第１の実施の形態について説明する。
【００１８】
はじめに図２（ａ）（ｂ）を参照して証明カード、例えばＩＣカード１１について説明する。
【００１９】
図２（ａ）（ｂ）に示すように、本発明による証明カード作成用顔画像撮影システムにより得られる証明カードは、カード基体１１１Ｂと、ＩＣチップ１１１Ａとを含む運転免許証のようなＩＣカードからなり、ＩＣカード１１１の表面１１１ａには氏名、住所を表示する文字、数字等からなる印字部１１２および顔画像１１３が設けられている。またＩＣカード１１１の裏面１１１ｂにも追加情報となる印字部１１５が設けられている。
【００２０】
さらにＩＣカード１１１の裏面１１１ｂには、たとえば臓器提供の意思を表示する文字からなる印字部１１６が設けられ、この印字部１１６はＩＣカード１１１の裏面１１１ｂに貼付された保護シール１１７により隠されている。なお、保護シール１１７の代わりに、ＩＣカード１１１の裏面１１１ｂに追加の備考紙が貼付されることもある。
【００２１】
次に図１により証明カード作成用顔画像撮影システムについて説明する。
【００２２】
図１に示すように、証明カード作成用顔画像撮影システム１０は、顔画像付申請書１（図４）が投入される申請書投入部１１と、申請書投入部１１に投入された顔画像付申請書１の有無を検出する検出センサ１４と、申請者を撮像する直接撮像部１２と、申請書投入部１１に投入された顔画像付申請書１の顔画像２を撮像する（接写する）申請書撮像部１３と、直接撮像部１２および申請書撮像部１３に接続された入力切替部１７とを備えている。
【００２３】
この場合、申請書投入部１１に投入される顔画像付申請書１は、図４に示すように上方に顔画像２を有し、下方に氏名、住所等の文字３を有している。
【００２４】
また検出センサ１４は外部信号制御部１６を介して入力信号切替部１７に接続され、入力信号切替部１７は制御部２１に内蔵された画像取込部２２に接続されている。
【００２５】
そして入力信号切替部１７は検出センサ１４からの信号に基づいて、顔画像付申請書１が有る場合は申請者撮像部１３からの画像（ＲＧＢなど）を画像取込部２２へ送り、顔画像付申請書１が無い場合は直接撮像部１２からの画像（ＲＧＢなど）を画像取込部２２へ送るようになっている。
【００２６】
さらにまた、申請書投入部１１に投入された顔画像付申請書１中の文字３を読み取る文字情報読取部（ＯＣＲ）１５が設けられ、文字情報読取部１５からの情報は制御部２１へ送られる。
【００２７】
そして、上述の構成要素のうち、申請書撮像部１３、検出センサ１４、文字情報読取部１５、外部信号制御部１６および入力信号切替部１７によって、持込写真制御部システム２０が構成されている。
【００２８】
さらにまた、持込写真制御システム２０とは別個独立して、追加の文字情報読取部２４と、文字、画像情報読取部２５とが設けられ、これら追加の文字情報読取部２４と文字、画像情報読取部２５からの情報は制御部２１へ送られる。
【００２９】
この場合、追加の文字情報読取部２４は、顔画像を持込まない申請者のために顔画像を含まない申請書の文字を読み取るものである。また文字、画像情報読取部２５は、顔画像を含む申請書および顔画像を含まない申請書の双方に対応して、申請書の全面をスキャニングし、スキャニングの結果得られた情報を制御部２１へ送るものである。
【００３０】
また制御部２１には、入手した顔画像情報および文字情報に基づいてＩＣカード１１１の表面１１１ａに印字部１１２および顔画像１１３を印字し、ＩＣカード１１１の裏面１１１ｂに印字部１１５、１１６を印字することによりＩＣカード１１１を作成するプリンタ２３が接続されている。
【００３１】
次にこのような構成からなる本実施の形態の作用について図３により説明する。
【００３２】
まず申請者が持ち込み写真の採用を希望する場合、申請者は予め顔画像２を含む顔画像付申請書１を準備しておき、この顔画像付申請書１を申請書投入部１１に投入する。
【００３３】
申請書投入部１１に投入された顔画像付申請書１は検出センサ１４により、顔画像付申請書１の有無が検出される。
【００３４】
検出センサ１４により顔画像付申請書１の存在が検出されると、検出センサ１４からの信号が外部信号制御部１６を介して入力信号切替部１７に送られ、この入力信号切替部１７は検出センサ１４からの信号に基づいて申請書撮像部１３からの画像を画像取込部２２へ送るよう信号入力切替えを行なう。
【００３５】
次に申請書投入部１１に投入された顔画像付申請書１について、その文字３が文字情報読取部１５により読み取られるとともに、顔画像付申請書１の顔画像２が申請書撮像部１３により撮像される。
【００３６】
申請書撮像部１３により撮像された顔画像は、入力信号切替部１７を経て制御部２１の画像取込部２２へ送られる。画像取込部２２に取込まれた画像はディスプレイ（図示せず）に表示され、必要に応じてディスプレイを操作することにより顔画像の位置等が補正される。
【００３７】
他方、申請者が持ち込み写真の採用を希望しない場合、申請者は顔画像を含まない申請書を準備する。
【００３８】
この場合、当該申請書は申請書投入部１１に投入されることはない。この場合、持込写真制御システム（持込写真処理）を用いることはなく、通常撮影処理を行う。
【００３９】
すなわち、申請者はこの申請書を申請書投入部１１に投入しないので、検出センサ１４は顔画像付申請書１が無いと検出し、検出センサ１４からの信号に基づいて入力信号切替部１７は直接撮像部１２からの画像を画像取込部２２へ送るよう信号入力切替えを行う。
【００４０】
次に持込写真制御システム２０とは別個に設けられた追加の文字情報読取部２４において申請書中の文字が読み取られ、また申請者が直接撮像部１２において撮像される。
【００４１】
このようにして直接撮像部１２において撮像された申請者の画像は入力信号切替部１７を経て制御部２１の画像取込部２２へ送られる。画像取込部２２に取込まれた画像はディスプレイ（図示せず）に表示される。
【００４２】
その後、顔画像付申請書１あるいは顔画像を含まない申請書は、いずれも持込写真制御システム２０とは別個に設けられた文字、画像情報読取部２５において、その全面がスキャニングされて読み取られる。そして文字、画像情報読取部２５からの情報は制御部２１へ送られる。
【００４３】
上述のように、申請書撮像部１３により撮像された画像、あるいは直接撮像部１２により撮像された画像のいずれかを入力信号切替部１７を介して制御部２１の画像取込部２２へ送ることができる。このためこの画像取込部２２において顔画像を確定することができる（確定した画像（１））。
【００４４】
次に制御部２１において、顔画像付申請書１を用いた場合に、文字、画像情報読取部２５において得られた情報のうち画像情報のみが抽出される（抽出した画像（２））。
【００４５】
次に制御部２１において、確定した画像（１）と、抽出した画像（２）とが比較され、同一写真と判定した場合は次ステップに進んで終了となる。同一写真でないと判定した場合は、例えば制御部２１において入手した顔画像の取り違いと判断してエラー表示がディスプレイになされる。
【００４６】
他方、顔画像を含まない申請書を用いた場合は、そのまま次ステップに進んで終了する。
【００４７】
その後、プリンタ２３は制御部２１において入手した顔画像情報および文字情報に基づいて印字することにより、ＩＣカード１１１を作成する。
【００４８】
以上のように本実施の形態によれば、検出センサ１４により顔画像付申請書１の有無を検出し、検出センサ１４からの信号により入力信号切替部１７を作動させる。そして顔画像付申請書１を検出した場合は、申請書撮像部１３からの持ち込み写真を採用し、顔画像付申請書１を検出しない場合は、直接撮像部１２からの画像を採用することができ、申請者の顔画像を直接撮像してこれを用いる機能と、申請者が希望する写真画像を用いる機能の双方の機能を発揮することができる。
【００４９】
なお、持込写真処理と通常撮影処理との切り替えについては、通常撮影処理を基本状態とすることが好ましい。
【００５０】
すなわち身分証明書を作成する場合、通常撮影処理により作成される場合が多いため、持込写真処理が終了した後、証明カード作成用顔画像撮影システム１０を通常撮影処理のモードに戻しておくことが好ましい。
【００５１】
このように持込写真処理が終了した後、証明カード作成用顔画像撮影システム１０を通常撮影処理のモードに戻しておくことにより、システム全体の処理速度を速くすることができる。
【００５２】
第２の実施の形態
次に図５および図６により本発明による証明カード作成用顔画像撮影システムの第２の実施の形態について説明する。
【００５３】
図５に示すように、証明カード作成用顔画像撮影システム１０は、顔画像付申請書１（図４）が投入される申請書投入部１１と、申請書投入部１１に投入された顔画像付申請書１の有無を検出する検出センサ１４と、申請者を撮像する直接撮像部１２と、申請書投入部１１に投入された顔画像付申請書１の顔画像２を撮像する（接写する）申請書撮像部１３と、検出センサ１４に接続された入力切替部１７とを備えている。
【００５４】
この場合、申請書投入部１１に投入される顔画像付申請書１は、図４に示すように上方に顔画像２を有し、下方に氏名、住所等の文字３を有している。
【００５５】
上述のように検出センサ１４は入力信号切替部１７に接続されている。また入力信号切替部１７は制御部２１に内蔵された画像切替部２８に接続され、画像切替部２８は第１画像取込部２２ａおよび第２画像取込部２２ｂに接続されている。
【００５６】
さらにまた、申請書投入部１１に投入された顔画像付申請書１中の文字３を読み取る文字情報読取部（ＯＣＲ）１５が設けられ、文字情報読取部１５からの情報は制御部２１へ送られる。
【００５７】
また直接撮像部１２は第１画像取込部２２ａに接続され、申請書撮像部１３は第２画像取込部２２ｂに接続されている。
【００５８】
この場合、直接撮像部１２からの画像（ＲＧＢなど）は第１画像取込部２２ａに送られ、また申請書撮像部１３からの画像（ＲＧＢなど）は第２画像取込部２２ｂに送られる。また入力信号切替部１７は検出センサ１４からの信号に基づいて、顔画像付申請書を検出しない場合は第１画像取込部２２ａの画像を用い、顔画像付申請書を検出した場合は第２画像取込部２２ｂの画像を用いる旨の信号を制御部２１の画像切替部２８へ出力する。
【００５９】
画像切替部２８は入力信号切替部１７からの信号に基づいて、第１画像取込部２２ａの画像又は第２画像取込部２２ｂの画像のいずれかの画像を採用する。
【００６０】
そして、上述の構成要素のうち、申請書撮像部１３、検出センサ１４、文字情報読取部１５、および入力信号切替部１７によって、持込写真制御部システム２０が構成されている。
【００６１】
さらにまた、持込写真制御システム２０とは別個独立して、追加の文字情報読取部２４と、文字、画像情報読取部２５とが設けられ、これら追加の文字情報読取部２４と文字、画像情報読取部２５からの情報は制御部２１へ送られる。
【００６２】
この場合、追加の文字情報読取部２４は、顔画像を持込まない申請者のために顔画像を含まない申請書の文字を読み取るものである。また文字、画像情報読取部２５は、顔画像を含む申請書および顔画像を含まない申請書の双方に対応して、申請書の全面をスキャニングし、スキャニングの結果得られた情報を制御部２１へ送るものである。
【００６３】
また制御部２１には、入手した顔画像情報および文字情報に基づいてＩＣカード１１１の表面１１１ａに印字部１１２および顔画像１１３を印字し、ＩＣカード１１１の裏面１１１ｂに印字部１１５、１１６を印字することによりＩＣカード１１１を作成するプリンタ２３が接続されている。
【００６４】
次にこのような構成からなる本実施の形態の作用について図６により説明する。
【００６５】
まず申請者が持ち込み写真の採用を希望する場合、申請者は予め顔画像２を含む顔画像付申請書１を準備しておき、この顔画像付申請書１を申請書投入部１１に投入する。
【００６６】
申請書投入部１１に投入された顔画像付申請書１は検出センサ１４により、顔画像付申請書１の有無が検出される。
【００６７】
検出センサ１４により顔画像付申請書１の存在が検出されると、検出センサ１４からの信号が入力信号切替部１７に送られ、この入力信号切替部１７から更に画像切替部２８へ信号が送られる。
【００６８】
この場合、画像切替部２８は入力信号切替部１７からの信号に基づいて、第２画像取込部２２ｂの画像を採用するよう画像の切替えを行う。
【００６９】
次に申請書投入部１１に投入された顔画像付申請書１について、その文字３が文字情報読取部１５により読み取られるとともに、顔画像付申請書１の顔画像２が申請書撮像部１３により撮像される。
【００７０】
申請書撮像部１３により撮像された顔画像は、制御部２１の第２画像取込部２２ｂへ送られ、第２画像取込部２２ｂに取込まれた画像はディスプレイ（図示せず）に表示され、必要に応じてディスプレイを操作することにより顔画像の位置等が補正される。
【００７１】
他方、申請者が持ち込み写真の採用を希望しない場合、申請者は顔画像を含まない申請書を準備する。
【００７２】
この場合、当該申請書は申請書投入部１１に投入されることはない。この場合、持込写真制御システム（持込写真処理）を用いることはなく、通常撮影処理を行う。
【００７３】
すなわち、申請者はこの申請書を申請書投入部１１に投入しないので、検出センサ１４は顔画像付申請書１は無しと検出する。検出センサ１４からの信号は入力信号切替部１７を介して画像切替部２８へ送られ、画像切替部２８は第１画像取込部２２ａの画像を採用するよう画像の切替えを行う。
【００７４】
次に持込写真制御システム２０とは別個に設けられた追加の文字情報読取部２４において申請書中の文字が読み取られ、また申請者が直接撮像部１２において撮像される。
【００７５】
このようにして直接撮像部１２において撮像された申請者の画像は制御部２１の第１画像取込部２２ａへ送られる。第２画像取込部２２ａに取込まれた画像はディスプレイ（図示せず）に表示される。
【００７６】
その後、顔画像付申請書１および顔画像を含まない申請書は、いずれも持込写真制御システム２０とは別個に設けられた文字、画像情報読取部２５において、その全面がスキャニングされて読み取られる。そして文字、画像情報読取部２５からの情報は制御部２１へ送られる。
【００７７】
上述のように、直接撮像部１２により撮像された画像、あるいは申請書撮像部１３により撮像された画像のいずれかが制御部２１の第１画像取込部２２ａ又は第２画像取込部２２ｂへ送られ、この第１画像取込部２２ａ又は第２画像取込部２２ｂにおいて顔画像が確定される（確定した画像（１））。
【００７８】
次に制御部２１において、顔画像付申請書１を用いた場合に、文字、画像情報読取部２５において得られた情報のうち画像情報のみが抽出される（抽出した画像（２））。
【００７９】
次に制御部２１において、確定した画像（１）と、抽出した画像（２）とが比較され、同一写真と判定した場合は次ステップに進んで終了となる。同一写真でないと判定した場合は、例えば制御部２１において入手した顔画像の取り違いと判断してエラー表示がディスプレイになされる。
【００８０】
他方、顔画像を含まない申請書を用いた場合は、そのまま次ステップに進んで終了する。
【００８１】
その後、プリンタ２３は制御部２１において入手した顔画像情報および文字情報に基づいて印字することにより、ＩＣカード１１１を作成する。
【００８２】
以上のように本実施の形態によれば、検出センサ１４により顔画像付申請書１の有無を検出し、検出センサ１４からの信号により入力信号切替部１７および画像切替部２８を作動させる。そして顔画像付申請書１を検出した場合は、申請書撮像部１３からの持ち込み写真を採用し、顔画像付申請書１を検出しない場合は、直接撮像部１２からの画像を採用することができ、申請者の顔画像を直接撮像してこれを用いる機能と、申請者が希望する写真画像を用いる機能の双方の機能を発揮することができる。
【００８３】
なお、持込写真処理と通常撮影処理との切り替えについては、通常撮影処理を基本状態とすることが好ましい。
【００８４】
すなわち身分証明書を作成する場合、通常撮影処理により作成される場合が多いため、持込写真処理が終了した後、証明カード作成用顔画像撮影システム１０を通常撮影処理のモードに戻しておくことが好ましい。
【００８５】
このように持込写真処理が終了した後、証明カード作成用顔画像撮影システム１０を通常撮影処理のモードに戻しておくことにより、システム全体の処理速度を速くすることができる。
【符号の説明】
【００８６】
１  顔画像付申請書
２  顔画像
１０  証明カード作成用顔画像撮影システム
１１  申請書投入部
１２  直接撮像部
１３  申請書撮像部
１４  検出センサ
１５  文字情報読取部
１７  入力信号切替部
２１  制御部
２２  画像取込部
２２ａ  第１画像取込部
２２ｂ  第２画像取込部
２３  プリンタ
２４  追加の文字情報読取部
２５  文字、画像情報読取部
２８  画像切替部
【図１】
0005760919.tif 000002
【図２】
0005760919.tif 000003
【図３】
0005760919.tif 000004
【図４】
0005760919.tif 000005
【図５】
0005760919.tif 000006
【図６】
0005760919.tif 000007